(57)【要約】      （修正有）【課題】サンドブラスト機に用いられるサンド交換システムを提供する。【解決手段】内桶１１と外桶１２で構成されるサンド交換塔１と、砂卸桶２と、複数個の接続板セット６と、支持架体５と、水管セット３とからなる。サンドブラスト機の攪拌桶内における金剛砂と水の砂水混合スプレー液が水管セットを経由してサンド交換塔に導入し、間欠性の輸送および砂水比重の差異により、金剛砂がサンド交換塔の内桶に沈殿し、砂卸桶に入り込み、砂と水が次第に分離する効果を発揮する。且つ内桶の上層における砂水混合スプレー液が、オーバーフロー方式によりサンド交換塔の外桶に導入され、更にサンドブラスト機の攪拌桶に回流し、攪拌桶内の砂水混合スプレー液の濃度が徐々に低くなり、砂水混合スプレー液が絶えずにサンドブラスト機とサンド交換塔の中に循環するので、砂水混合スプレー液は、攪拌桶に回流し、更にサンドブラスト機内のサンドブラスト盤管に打ち込まれる。【選択図】図１
0003162890.tif 000002
【実用新案登録請求の範囲】
【請求項１】
サンド交換システムであって、
一つの内桶と底部がテーパー状を呈する外桶とで構成され且つ外桶の底部に複数個の接続孔を設置することにより当該サンド交換塔が複数個の接続板セットに対応して一つの支持架体の上に鎖錠される一つのサンド交換塔と、
最上部にテーパー部を成形し且つテーパー部の頂部の表面に複数個の貫通孔を開設し更に複数個の鎖錠体セットによりサンド交換塔の外桶の下方に対応して鎖錠される一つの砂卸桶と、
サンド交換塔の外桶の表面に固設され更に接続板セットの底部に複数個の固定孔を設置する複数個の接続板セットと、
最上面に複数個の接続孔を設置することにより複数個の接続板セットに対応してサンド交換塔を支持架体の上に鎖錠する一つの支持架体と、
それぞれサンド交換塔の内桶と外桶の上に布設される一つの水管セットとを含み、
前述の構造により、サンドブラスト機を一つ接続し、且つ当該サンドブラスト機の攪拌桶内における金剛砂と水の砂水混合スプレー液が、水管セットを経由してサンド交換塔に導入し、間欠性の水流輸送および砂水比重の差異により、金剛砂がサンド交換塔の内桶に沈殿し、且つ内桶の上層における砂水混合スプレー液が、オーバーフロー方式によりサンド交換塔の外桶に導入され、更にサンドブラスト機の攪拌桶に回流し、攪拌桶内の砂水混合スプレー液の砂濃度を低減させ、砂水混合スプレー液が絶えずサンドブラスト機とサンド交換塔の中に循環するので、濃度が徐々に低くなる砂水混合スプレー液は、サンドブラスト機の攪拌桶に回流することを特徴とする、サンド交換システム。
【請求項２】
当該内桶の内には、砂防板を一つ設置することを特徴とする、請求項1に記載のサンド交換システム。
【請求項３】
当該砂卸桶の桶体とテーパー部の接続する箇所に、一つの環状ボルト・セットにより固接されることを特徴とする、請求項1に記載のサンド交換システム。
【請求項４】
当該水管セットは、それぞれ砂卸排水管、洗浄排水管、原水進水管、水道水進水管、外桶の水道水進水管、内桶の水道水進水管、回流管、オーバーフロー管、および排水管から構成されることを特徴とする、請求項1に記載のサンド交換システム。
【請求項５】
当該砂卸桶の下方には、昇降台車を一つ配置することを特徴とする、請求項1に記載のサンドブラスト機に用いられるサンドブラスト・システム。
【請求項６】
当該鎖錠体セットは、それぞれ一つの固定ボルトと一つのパッドとから構成されることを特徴とする、請求項1に記載のサンドブラスト機に用いられるサンドブラスト・システム。
【請求項７】
当該接続板セットは、それぞれ一つの接続板と、一つのパッドと、一つのボルトとから構成されることを特徴とする、請求項1に記載のサンドブラスト機に用いられるサンドブラスト・システム。
【考案の詳細な説明】
【技術分野】
【０００１】
本考案は、サンド交換塔の構造設計およびサンド交換塔の液位計算の概念を利用し、間欠性の水流輸送および砂水比重の差異により、金剛砂がサンド交換塔の内桶に沈殿し、砂卸桶に入り込み、砂と水が次第に分離する効果を達成するサンド交換システムに関するものである。
【背景技術】
【０００２】
工業製品の製造過程中では、数多くの工程が進行する時に、常にサンドブラストにより加工製品に均一かつ適当な粗さの表面を生成する必要があり、生産ラインの後続の手順に寄与する。例えば電子産業のプリント電気回路基板（PCB）の工程中における湿式プロセスは、電気回路基板の板面が研磨を経った後に、サンドブラスト機により、つるつるした表面に均一に粗面化処理し、エッチング・インピーダンス層を板面上に付着しやすくなる必要がある。通常はサンドブラスト機内のサンドブラスト液が、1：4の比例にて金剛砂（例えばAl2O3）と水の混合となる砂水混合スプレー液である。砂水混合スプレー液の沈殿を避けるために、通常は先ずサンドブラスト機の攪拌桶の中に攪拌し、更にサンドブラスト・ポンプにより、サンドブラスト機のサンドブラスト盤管の中へ打ち込み、ノズルを経由して加工板面をスプレーし、スプレー効果を発揮する。攪拌桶内の液面は、桶上の装置の液位計を利用して制御する。サンドブラスト機が起動する時に、砂水混合スプレー液の均一な攪拌効果を達成するために、先ず攪拌モーターを起動し、予め設定された時間までに攪拌を行い、この時に液位計を介して槽内の液面が適当な液位にあるかどうかを検知でき、液面がまだ低水位に到達しなければ、水道水の補充弁を自動的に開放して攪拌桶を補充することにより、その液位は低水位よりも高くなり、サンドブラスト・ポンプを起動し、スプレー作業を行う。然しながら、攪拌桶の他の水源が、サンドブラスト機の内に基板表面の残砂を洗浄する水洗スプレー管を由来とし、洗浄された後の砂水も、攪拌桶に流れ込み、従って攪拌桶の液位も液位計の高水位に達し、この時に砂水分離ポンプを起動し、スプレー液を砂水分離機へ打ち込み、渦巻と遠心原理を利用して、砂と水に対して初歩的な分離を行い、大部分の比較的重い砂水を攪拌桶に回流し、比較的軽い砂水を中継槽に流し込んで沈殿させ、或いは濾過機により濾過させ、その後に沈殿した後または濾過された後の水を、更に水洗段部へ打ち戻して基板を洗浄し、金剛砂が中継槽または濾過機の濾過袋の内に留まり、そしてスプレー液の濃度も次第に低くなることにより、スプレー効果に影響を及ぼす。このため、即ちサンドブラスト作業が常に攪拌桶の中からスプレー液のサンプルを抽出して濃度の検査を行い、適宜、金剛砂を補充する必要がある。
【０００３】
サンドブラスト作業の板面の粗さは、金剛砂の平均粒径と鋭さ度，スプレー液の濃度，加工基板の輸送速度およびスプレー圧力などの因子により制御される。従って金剛砂は常に、摩耗のため、暫く使用して時間がかかった後、更新する必要があり、異なる粗さの板面のためにも、異なる番号（平均粒径が異なる）または異なる成分の金剛砂を交換する必要があり、つまりサンド交換がサンドブラスト機の必要となる。過去のサンド交換は、何れも手作業を採用し、先ずシャットダウンして攪拌桶内の金剛砂を沈殿し、更に攪拌桶内の上層の余計な水を排出した後に、シャベルを利用し、重さが約75kg、体積が約40リットルである金剛砂を、一度ずつにすくい出し、すくい出した後に、洗浄水により、機台の内壁，輸送用ローラーを洗浄し且つ攪拌桶を一杯加えた後に、サンドブラスト・ポンプを開放し、濃度の比較的低いサンドブラスト液が、再びサンドブラスト機のスプレー管路を経由して関連する部品を洗浄し、更にシャットダウンして攪拌桶内の残砂をすくい出し、このような手順は、偶に複数回行う必要があり、更にローラー、軸などの部品を解体して一つずつ洗浄すれば、より好ましい洗浄効果を達成できる。然しながら、このようなサンド交換および洗浄方式が水資源を相当に消費し、約1日間の作業時間をも需要する。例えば稼動時間を節約するために、機台が一回の作業で適当な清浄度を達成しようとする時に、サンドブラスト・ポンプを開放し、洗浄水を加えながら、攪拌桶内のスプレー液が溢れて排出し、直接に工場外の管・溝に排出し、更に金剛砂が管・溝内に沈殿することになり、年月を経ると、排水管・溝の詰まりを招き、且つ雨季の時に排水不良により引き起こされる水害を、招きやすくなる。
【０００４】
現在、市場上で極めて少数のサンドブラスト機のみが、サンド交換ができると宣言しており、その作業が攪拌桶内のスプレー液を、付け加えられた中継槽へ抽出して沈殿し、且つ洗浄水を補充することにより、攪拌桶のサンドブラスト液の濃度が低くなり、再びサンドブラスト機を起動して機台を洗浄し、このように複数回循環すれば、濃度を次第に低減し且つ機台を洗浄するが、このような方法は、少なくとも容積が攪拌桶よりも大きくなる中継槽を一つ要し、金剛砂の沈殿が間に合わなくても溢れて排出して金剛砂の流失および管・溝の汚染を招くことを防ぐ。
【０００５】
このことから、前述の慣用の方式は依然として多くの欠点を有し、真に良好な設計ではなく、そしてより改良する必要があるが、本考案者は、前述の慣用の方式により生成された各欠点に鑑み、より改良して革新しようと意図し、且つ多年を経て苦心して独自に努力して鋭意な研究をした後に、ついに本考案のサンドブラスト機に用いられるサンド交換システムの研究を成功させて、完成するものである。
【考案の概要】
【考案が解決しようとする課題】
【０００６】
本考案の目的は、サンド交換塔を提供するもので、サンド交換塔と機台との間の構造の対応を利用することにより、砂水の分離と機台の洗浄の二重効果を達成する。
【０００７】
本考案の他の目的は、サンド交換塔の液位計算の論理概念を提供するもので、間欠性の輸送および砂時計状の設計により、砂水の快速な分離および簡便な砂卸の効果を達成する。
【課題を解決するための手段】
【０００８】
前述の考案の目的を達成するサンド交換システムは、一つの内桶と底部がテーパー状を呈する外桶とで構成され且つ外桶の底部に複数個の接続孔を設置することにより該サンド交換塔が複数個の接続板セットに対応して一つの支持架体の上に鎖錠される一つのサンド交換塔と、その桶体の頂部にテーパー部を成形し且つテーパー部の頂部の表面に複数個の貫通孔を開設し更に複数個の鎖錠体セットによりサンド交換塔の外桶の下方に対応して鎖錠される一つの砂卸桶と、サンド交換塔の外桶の表面に固設され更に接続板セットの底部に複数個の固定孔を設置する複数個の接続板セットと、その頂面に複数個の接続孔を設置することにより複数個の接続板セットに対応してサンド交換塔を支持架体の上に鎖錠する一つの支持架体と、
それぞれサンド交換塔の内桶と外桶の上に布設される一つの水管セットとを含み、本考案は、前述の構造によりサンドブラスト機を一つ接続し、且つ当該サンドブラスト機の攪拌桶内における金剛砂と水の砂水混合スプレー液が、水管セットを経由してサンド交換塔に導入し、間欠性の水流輸送および砂水比重の差異により、金剛砂がサンド交換塔の内桶に沈殿し、且つ内桶の上層における砂水混合スプレー液が、オーバーフロー方式によりサンド交換塔の外桶に導入され、更にサンドブラスト機の攪拌桶に回流し、攪拌桶内の砂水混合スプレー液の砂濃度を低減し、砂水混合スプレー液が絶えずにサンドブラスト機とサンド交換塔の中に循環するので、サンドブラスト機の攪拌桶に回流する砂水混合スプレー液の濃度が次第に低くなる。
【考案の効果】
【０００９】
１．本考案は、サンドブラスト機の元のポンプを利用し、新たにポンプを加える必要がなく、設備のコスト及びエネルギーの消費を節約できる。
【００１０】
２．本考案は、砂防板とテーパー状設計により、砂卸桶の内における金剛砂の波及（washback）を低減し、沈殿および砂水分離効果を加速し、ひいてはサンド交換に必要な時間を低減する。
【００１１】
３．本考案は、原水進水管の高さ計算の論理概念にて、間欠性の送水を達成することにより、原水が比較的長い時間で沈殿を行い、更に故に砂水分離効果を加速し、ひいてはサンド交換に必要な時間を低減する。
【００１２】
４．本考案は、水量の制御および電磁弁のオン／オフ制御を応用し、回流水量が多すぎるために攪拌桶から溢れ出て工場建物を汚染することを、防止できる。
【００１３】
５．本考案のサンド交換システムは、作動の過程中で、濃度が次第に低くなるスプレー液により、絶えずサンドブラスト機内のサンドブラスト段部をスプレーし、濃度が最低（ほぼ真水に近い）となるように低下する時に、既に同時に機台の内壁，輸送用ローラー，攪拌桶と管路をすべて奇麗に洗浄し、人工によりサンド交換するのに必要な人件費を、大幅に節約できる。
【００１４】
６．当該間欠性の輸送および砂水比重差異の論理概念設計を応用するサンド交換システムは、サンドブラスト機に使用できる砂水の分離以外に、その他の固体の比重が液態よりも大きくなる砂水混合スプレー液の固液分離処理にも応用できる。
【図面の簡単な説明】
【００１５】
【図１】本考案の斜視配置図である。
【図２】本考案の斜視分解図である。
【図３】本考案の斜視断面模式図である。
【図４】本考案の第２の斜視配置図である。
【図５】本考案のサンドブラスト機の接続の模式図である。
【図６】本考案のフローチャートである。
【考案を実施するための形態】
【００１６】
図1と図2を参照するが、図中より了解できるように、本考案のサンド交換システムは、一つの内桶11と底部がテーパー状を呈する外桶12とで構成され且つ外桶12の底部に複数個の接続孔121を設置することにより当該サンド交換塔1が複数個の接続板セット6に対応して一つの支持架体5の上に鎖錠される一つのサンド交換塔1と、その桶体の頂部にテーパー部24を成形し且つテーパー部24の頂部の表面に複数個の貫通孔25を開設し更に複数個の鎖錠体セット8によりサンド交換塔1の外桶12の下方に対応して鎖錠され且つ当該砂卸桶2の桶体とテーパー部24の接続する箇所に一つの環状ボルト・セット21により固接され更に当該砂卸桶2の下方に昇降台車4を一つ配置し且つ当該鎖錠体セット8がそれぞれ一つの固定ボルト81と一つの固定パッド82で構成される一つの砂卸桶2と、それぞれ一つの接続板63、一つのパッド61と一つのボルト62で構成され且つ接続板セット6がサンド交換塔1の外桶12の表面に固設され更に接続板セット6の底部に複数個の固定孔64を設置する複数個の接続板セット6と、その頂面に複数個の接続孔51を設置することにより複数個の接続板セット6に対応してサンド交換塔1を支持架体5の上に鎖錠する一つの支持架体5と、それぞれサンド交換塔1の内桶11と外桶12の上に布設される一つの水管セット3とを含く、本考案は、前述の構造によりサンドブラスト機7（例えば図5）を一つ接続し、且つ当該サンドブラスト機7（例えば図5）の攪拌桶72（例えば図5）内における金剛砂と水の砂水混合スプレー液が、水管セット3を経由してサンド交換塔1に導入し、間欠性の水流輸送および砂水比重の差異により、金剛砂がサンド交換塔1の内桶11に沈殿し、且つ内桶11の上層における砂水混合スプレー液が、オーバーフロー方式によりサンド交換塔1の外桶12に導入され、更にサンドブラスト機7（例えば図5）の攪拌桶72（例えば図5）に回流し、攪拌桶72（例えば図5）内の砂水混合スプレー液の砂濃度を低減し、砂水混合スプレー液が絶えずサンドブラスト機7とサンド交換塔1の中に循環するので、サンドブラスト機7（例えば図5）の攪拌桶72（例えば図5）に回流する砂水混合スプレー液の濃度が次第に低くなる。
【００１７】
図2、図3、図4と図5に示すように、当該サンド交換塔の内桶12の内には、砂防板13を一つ設置する。そして当該水管セット3は、それぞれ砂卸排水管22，洗浄排水管23，原水進水管31、水道水進水管32，外桶の水道水進水管322，内桶の水道水進水管321、回流管33、オーバーフロー管34と排水管35で構成され、水管セット3がそれぞれサンド交換塔の塔体の上に設置され、原水進水管31の高さが、サンドブラスト機7の攪拌桶71内にポンプ・スイッチの液位計79の上下液位間をスプレーするスプレー液の容積の制御に基づいて計算して得た最適な高さで、既に間欠性の輸送により沈殿を加速する効果を発揮する。更に水道水進水管32に第1の電磁弁を一つ設けることにより、水道水の進水を制御する。水道水進水管32が三方管の型式となるように設計することにより、進水領域が2本に分けられ、内桶の水道水進水管321と外桶の水道水進水管322となり、それぞれ内桶11と外桶12に供給され、且つそれぞれ内桶の手動弁323と外桶の手動弁324により、内桶11と外桶12の進水を制御する。
【００１８】
また、図2と図5に示すように、卸された金剛砂の傾斜に寄与するために、当該砂卸桶2の桶体とテーパー部24の接続する箇所に、一つの環状ボルト・セット21により固接され、且つ砂卸桶2の桶体には、砂卸排水管22と洗浄排水管23の二つの排水口を設置する。その他に本考案のサンドブラスト機7の機台とサンド交換塔1との間の管路上に、第1の電磁弁73と第2の電磁弁74を接続することにより、原水の進水を制御する。そして昇降台車4がサンド交換塔1の卸し及び運搬のために用いられる。
【００１９】
また、図5に示すように、サンドブラスト機7は、常に入口段部711、サンドブラスト段部712、傾斜水洗段部713、中圧水洗段部714と出口段部715などの複数の段部を含み、サンドブラスト段部712の必要な濃度が約20％である砂水混合スプレー液は、攪拌桶72により攪拌され、二つのサンドブラスト・ポンプ76を経て加圧してサンドブラスト段部712に輸送し、ノズルを介して基板（未図示）の表面をスプレーし、必要な均一粗面化効果を達成する。入口段部711、傾斜水洗段部713と中圧水洗段部714には、何れも噴水管を設けてサンドブラスト前後の基板（未図示）を洗浄する。通常は入口段部711と傾斜水洗段部713の水が何れも攪拌桶72に流れ戻り、攪拌桶72の液位が上限に達する時に、自動的に循環ポンプ77を開放し、スプレー液が砂水分離機75を経て初歩的な分離を行った後に、濾過機78に伝送して濾過された後に、傾斜水洗段部713に送り戻して基板をスプレーする。本考案は、組み立てる時に、循環ポンプ77と砂水分離機75との間の管路上に、三方管を増設し、砂水混合スプレー液が一入二出となり、且つ砂水分離機75とサンド交換塔1とを連通する出口管路に、それぞれ第1の電磁弁73と第2の電磁弁74を設けることにより、管路の開放および閉鎖を制御する。サンドブラスト機7がサンドブラスト作業を行う時に、砂水分離機75に到達する管路を開放し、サンド交換塔1に到達する管路を閉鎖するが、サンド交換作業を行う時に、砂水分離機75に到達する管路を閉鎖し、サンド交換塔1に到達する管路を開放することにより、循環ポンプ77にて攪拌桶72から抽出されたサンドブラスト液が、サンド交換塔1に流れ込む。
【００２０】
図1、図3と図5を参照し、サンド交換システムが起動する時に、電気制御システムを介して前述の管路の切替を行う以外に、更に攪拌桶72の攪拌モーター721を開放することにより、砂と水が均一に混合し、同時にサンド交換塔1の水道水進水管32に設置された第2の電磁弁74を開放することにより、水道水がサンド交換塔1の内桶11に流れ込む。サンド交換塔1の内における水道水の水位が、原水進水口31の高さに達する時に、水道水が原水進水口31から攪拌桶72に自然に流れ込むことにより、攪拌桶72の内における液面が次第に上昇する。攪拌桶72の内における液面が液位計79により設定された正常なスプレー液面、即ち循環ポンプ77の閉鎖する液面（下限の液面）に達し且つ攪拌モーターが3分間以上起動し更に既に十分に攪拌する時に、サンドブラスト機7のポンプが自動的に起動してスプレー（基板無し）を行い、スプレー液が再びサンドブラスト段部を経て攪拌桶72に流れ込む。攪拌桶72の内における液面が液位計79の液面の上限に達する時に、循環ポンプ77を自動的に起動し、スプレー液が原水進水管31を経てサンド交換塔1の内桶11に輸送して桶内の水道水と混合し、一部分の金剛砂が砂卸桶2に自然に流れ込む。内桶11の液面が内桶11の上縁よりも高くなる時に、砂水混合スプレー液が外桶12へ溢れ出て回流管33を経由して攪拌桶72に流れ込む。攪拌桶72の液面が下限の液面に降下する時に、循環ポンプ77が自動的に閉鎖し、この時にサンド交換塔1の内における砂水混合スプレー液の金剛砂が、砂防板13の篩目131及びサンド交換塔1の外桶12のテーパー状設計を経て、金剛砂が砂卸桶2に自然に沈殿し、更に攪拌桶72の内における液面が液位計79の液面上限に達する時に、再び循環ポンプ77を起動して他の循環を行い、この時に内桶11の底部の砂防板13及び外桶12のテーパー状設計の遮断のために、原水進水の衝撃により内桶11に押し流された金剛砂量を大量に低減できる。前述過程の繰り返し循環を介してスプレー液の濃度を次第に低減し、更にスプレー液の濃度が次第に低減するので、サンドブラスト段部712の内における機台の内壁，輸送用ローラー（未図示），攪拌桶72とサンドブラスト管路を順次洗浄する。
【００２１】
図6に示すように、本考案のサンド交換システムの作動の流れは、下記の通りである。ステップ1：サンド交換スイッチを開放して起動する。ステップ2：砂水分離管の電磁弁がサンド交換システムに切り替える。ステップ3：攪拌モーターを起動してスプレー液の攪拌を行う。ステップ4：攪拌モーターを起動してスプレー液の攪拌を行うことを、判断する。ステップ5：攪拌桶の液位が既に送水の液位に達するかどうかを判断し、達していれば、ステップ6を行い、砂水分離ポンプを起動し、いなかれば、サンド交換塔に水道水を補充した後に、再び攪拌モーターを起動してスプレー液の攪拌を行う。ステップ7：スプレー液を抽出してスプレー液の濃度を検査する。ステップ8：スプレー液の濃度が既に5％以下に達しているかどうかを判断し、達していれば、サンド交換スイッチを閉鎖でき、いなければ、再びスプレー液を抽出してスプレー液の濃度を検査する。
【００２２】
また、図1、図2と図5に示すように、循環ポンプ77の間欠性の起動時間は原水進水口31の高さと関係し、高すぎると、予め補充された水量が多すぎ、循環ポンプ77は、絶えず稼動する恐れがあり、沈殿の効果を低減し、サンド交換時間を延長する。サンド交換塔1の液位がオーバーフロー管34の高さに達すると、スプレー液がオーバーフロー管34から排出され、金剛砂の回収を低減し、工場建物の排水システムをも汚染する。甚だしきに至っては、進水量が多すぎて、オーバーフロー管34から流れ出しても排出が間に合わず、塔頂から溢れ出て工場建物を汚染する可能性がある。逆に原水進水口31の高さが低すぎれば、予め補充された水量が不足するので、循環ポンプ77を起動できない。従って、原水進水口31の開設する高さは、攪拌桶72の液位計79の液面の上・下限の間の容積に基づいて適当な比例を設定し、サンド交換塔1の進水口の下方の内桶11と砂卸桶2の必要な容積とみなし、更に原水進水口31の適当な高さを計算する必要がある。
【００２３】
また、図1、図2と図3に示すように，本考案は、シャットダウンした後、更に砂卸を行う前に、先ずサンド交換塔1の内桶の手動弁323と外桶の手動弁324及び砂卸桶2の上の砂卸排水管の手動弁221，洗浄排水管の手動弁231を開放し、上層の水を工場建物の排水管路へ排出し、少量の水を保留することにより、金剛砂の必要な潤湿を保持し、後続の使用に寄与する。そして本考案の配置する昇降台車4は、上昇して砂卸桶2の底部に当着し、砂卸桶2と内部の砂水の重さを支持できる以外に、環状ボルト・セット21の軸向負荷をも低減でき、更に砂卸桶2を簡単に解体し、砂卸桶2の環状ボルト・セット21を回転して弛める。砂卸桶2の鎖錠体セット8を回転してはずし、鎖錠ボルト81と固定パッド82を取り外せば、サンド交換塔1の下錐体を解体することにより、洗浄できる。砂卸桶2の底部における洗浄排水管23は、砂卸桶2の洗浄および排水に用いられる。
【００２４】
本考案のシャットダウンは、2種類の方式を有する。
【００２５】
定時監視測定法：攪拌桶の中から取り出されたスプレー液のサンプルを、500ccの試験管の中に入れ、沈殿した後に、その濃度を分析し、許容濃度よりも低くなれば、シャットダウンする。
【００２６】
時間計算法：前述の方法・試験を介して各種の常用の番号を決め、金剛砂がサンド交換する時に、許容濃度の必要な時間を計算する。その後、サンド交換する必要がある時に、使用の金剛砂の番号に基づき、タイマーの上の操作時間を設定し、時間に達すれば、自動的にシャットダウンする。
【００２７】
再び図1と図5を参照し、本考案のシャットダウン流れの設計は下記の通りである。本考案は、シャットダウンする時に、サンド交換塔1の内桶11における水が原水進水管31を経由して攪拌桶72に回流でき、そして外桶12の水も回流管33から攪拌桶72に回流できる。攪拌桶72のオーバーフロー管の手動弁722が開放せず、更に回流の水量が攪拌桶72の収納できる水量を超えれば、水が攪拌桶72の上縁から溢れて、ひいては工場建物の床板上にオーバーフローして作業環境の汚染を招く可能性がある。
【００２８】
従って、水のオーバーフローを防止するために、本考案は、下記の二つの防止措置を採用する。
【００２９】
1.水量の制御：原水進水管の高さ計算上では、全システムの最高の水量が攪拌桶の容量よりも小さくなるよう考量する。
【００３０】
2.電磁弁スイッチ：本考案は、原水進水管の上に電磁弁を設け、サンド交換システムが起動（ブート）する時に、当該電磁弁が自動的に開放する（つまり砂水分離機の電磁弁が閉鎖する）。サンド交換システムのシャットダウン・スイッチを押す時に、原水進水管の上における電磁弁を自動的に閉鎖し、同時に砂水分離機の電磁弁を開放し、サンドブラスト作業のスタンバイ状態を完成する。
【符号の説明】
【００３１】
1     サンド交換塔  
2     砂卸桶
3     水管セット
4     昇降台車
5     支持塔架
6     接続板セット
7     サンドブラスト機
8     鎖錠体セット
11    内桶
12    外桶  
13    砂防板   
21    環状ボルト・セット
22    砂卸排水管
23    洗浄排水管
24    テーパー部
25    貫通孔
31    原水進水管
32    水道水進水管
33    回流管
34    オーバーフロー管
35    排水管
51    接続孔
61    ボルト
62    パッド
63    接続板
72    攪拌桶
73    第1の電磁弁
74    第2の電磁弁
75    砂水分離機
76    サンドブラスト・ポンプ
77    循環ポンプ
78    濾過機
79    液位計
81    鎖錠ボルト
82    固定パッド
131   篩目
221   砂卸排水管の手動弁
231   洗浄排水管の手動弁
321   内桶の水道水進水管
322   外桶の水道水進水管
323   内桶の手動弁
324   外桶の手動弁
711   入口段部
712   サンドブラスト段部
713   傾斜水洗段部
714   中圧水洗段部
715   出口段部
721   攪拌モーター
722   オーバーフロー管の手動弁
【図１】
0003162890.tif 000003
【図２】
0003162890.tif 000004
【図３】
0003162890.tif 000005
【図４】
0003162890.tif 000006
【図５】
0003162890.tif 000007
【図６】
0003162890.tif 000008
【手続補正書】
【提出日】平成22年7月16日(2010.7.16)
【手続補正１】
【補正対象書類名】実用新案登録請求の範囲
【補正対象項目名】全文
【補正方法】変更
【補正の内容】
【実用新案登録請求の範囲】
【請求項１】
サンド交換システムであって、
一つの内桶と底部がテーパー状を呈する外桶とで構成され且つ外桶の底部に複数個の接続孔を設置することにより当該サンド交換塔が複数個の接続板セットに対応して一つの支持架体の上に鎖錠される一つのサンド交換塔と、
最上部にテーパー部を成形し且つテーパー部の頂部の表面に複数個の貫通孔を開設し更に複数個の鎖錠体セットによりサンド交換塔の外桶の下方に対応して鎖錠される一つの砂卸桶と、
サンド交換塔の外桶の表面に固設され更に接続板セットの底部に複数個の固定孔を設置する複数個の接続板セットと、
最上面に複数個の接続孔を設置することにより複数個の接続板セットに対応してサンド交換塔を支持架体の上に鎖錠する一つの支持架体と、
それぞれサンド交換塔の内桶と外桶の上に布設される一つの水管セットとを含み、
前述の構造により、サンドブラスト機を一つ接続し、且つ当該サンドブラスト機の攪拌桶内における金剛砂と水の砂水混合スプレー液が、水管セットを経由してサンド交換塔に導入し、間欠性の水流輸送および砂水比重の差異により、金剛砂がサンド交換塔の内桶に沈殿し、且つ内桶の上層における砂水混合スプレー液が、オーバーフロー方式によりサンド交換塔の外桶に導入され、更にサンドブラスト機の攪拌桶に回流し、攪拌桶内の砂水混合スプレー液の砂濃度を低減させ、砂水混合スプレー液が絶えずサンドブラスト機とサンド交換塔の中に循環するので、濃度が徐々に低くなる砂水混合スプレー液は、サンドブラスト機の攪拌桶に回流することを特徴とする、サンド交換システム。
【請求項２】
当該内桶の内には、砂防板を一つ設置することを特徴とする、請求項1に記載のサンド交換システム。
【請求項３】
当該砂卸桶の桶体とテーパー部の接続する箇所に、一つの環状ボルト・セットにより固接されることを特徴とする、請求項1に記載のサンド交換システム。
【請求項４】
当該水管セットは、それぞれ砂卸排水管、洗浄排水管、原水進水管、水道水進水管、外桶の水道水進水管、内桶の水道水進水管、回流管、オーバーフロー管、および排水管から構成されることを特徴とする、請求項1に記載のサンド交換システム。
【請求項５】
当該砂卸桶の下方には、昇降台車を一つ配置することを特徴とする、請求項1に記載のサンド交換システム。
【請求項６】
当該鎖錠体セットは、それぞれ一つの固定ボルトと一つのパッドとから構成されることを特徴とする、請求項1に記載のサンド交換システム。
【請求項７】
当該接続板セットは、それぞれ一つの接続板と、一つのパッドと、一つのボルトとから構成されることを特徴とする、請求項1に記載のサンド交換システム。